(57)【要約】【課題】再生する楽曲に関する種々のレベルの情報を提示できる「楽曲再生装置及びコンピュータプルグラム」を提供する。【解決手段】  ミュージックプレイヤ１１１はＳＮＳ閲覧ボタン４０６が操作されたならば、再生モードに応じて検索ワードを設定し、設定した検索ワードによりＳＮＳサーバ４をサーチし、検索ワードを投稿記事８０１中に含む投稿記事８０１を取得し、取得した投稿記事８０１を楽曲関連投稿表示ウインドウ８００に、順次、一定期間ずつ表示していく。再生モードが、ユーザが指定したアーティストの楽曲を再生するアーティストモードのときは、検索ワードとして、「#NowPlaying」、「再生中アーティスト名」を検索ワードに設定し、再生モードが、ユーザが指定したアルバムの楽曲を再生するアルバムモードのときは、「#NowPlaying」、「再生中アルバム名」、「再生中アーティスト名」を検索ワードに設定する。【選択図】図８
2015106208.tif 000002
【特許請求の範囲】
【請求項１】
複数の種類の属性値が定義されている楽曲を再生する楽曲再生装置であって、
楽曲のグループ化の異なる単位の各々にそれぞれ対応する複数の再生モードを有し、当該複数の再生モードのうちの設定されている再生モードに対応する単位でグループ化された楽曲のグループの楽曲の再生を行う楽曲再生部と、
再生中の楽曲の前記複数種類の属性値のうちから、設定されている再生モードに応じて各再生モード毎に異なるように定まる１または複数の種類の属性値を抽出して検索ワードに設定する検索ワード設定部と、
情報検索機能を提供するサーバーにアクセスし、前記設定された検索ワードで情報を検索して取得する楽曲関連情報取得部と、
前記楽曲関連情報取得部が取得した各情報を表示する前記楽曲関連情報表示部とを有することを特徴とする楽曲再生装置。
【請求項２】
請求項１記載の楽曲再生装置であって、
前記楽曲の属性値の複数の種類は、アルバム名が属性値である種類と属性値がタイトル名である種類とを含み、
前記複数の再生モードは、対応する楽曲のグループ化の単位がアルバムであるアルバムモードと、対応する楽曲のグループ化の単位がタイトルであるタイトルモードとを含み、
前記検索ワード設定部は、設定されている再生モードがアルバムモードのときは、再生中の楽曲のタイトル名を設定する検索ワードに含めずに、再生中の楽曲のアルバム名を設定する検索ワードに含め、設定されている再生モードがタイトルモードのときは、再生中の楽曲のアルバム名とタイトル名とを設定する検索ワードに含めることを特徴とする楽曲再生装置。
【請求項３】
請求項１記載の楽曲再生装置であって、
前記楽曲の属性値の複数の種類は、アーティスト名が属性値である種類と属性値がタイトル名である種類とを含み、
前記複数の再生モードは、対応する楽曲のグループ化の単位がアーティストであるアーティストモードと、対応する楽曲のグループ化の単位がタイトルであるタイトルモードとを含み、
前記検索ワード設定部は、設定されている再生モードがアーティストモードのときは、再生中の楽曲のタイトル名を設定する検索ワードに含めずに、再生中の楽曲のアーティスト名を設定する検索ワードに含め、設定されている再生モードがタイトルモードのときは、再生中の楽曲のアーティスト名とタイトル名とを設定する検索ワードに含めることを特徴とする楽曲再生装置。
【請求項４】
請求項１記載の楽曲再生装置であって、
前記楽曲の属性値の複数の種類は、アーティスト名が属性値である種類と属性値がアルバム名である種類とを含み、
前記複数の再生モードは、対応する楽曲のグループ化の単位がアーティストであるアーティストモードと、対応する楽曲のグループ化の単位がアルバムであるアルバムモードとを含み、
前記検索ワード設定部は、設定されている再生モードがアーティストモードのときは、再生中の楽曲のアルバム名を設定する検索ワードに含めずに、再生中の楽曲のアーティスト名を設定する検索ワードに含め、設定されている再生モードがアルバムモードのときは、再生中の楽曲のアーティスト名とアルバム名とを設定する検索ワードに含めることを特徴とする楽曲再生装置。
【請求項５】
請求項１記載の楽曲再生装置であって、
前記楽曲の属性値の複数の種類は、アーティスト名が属性値である種類と属性値がアルバム名である種類とタイトル名が属性値である種類とを含み、
前記複数の再生モードは、対応する楽曲のグループ化の単位がアーティストであるアーティストモードと、対応する楽曲のグループ化の単位がアルバムであるアルバムモードと対応する楽曲のグループ化の単位がタイトルであるタイトルモードとを含み、
前記検索ワード設定部は、設定されている再生モードがアーティストモードのときは、再生中の楽曲のアルバム名とタイトル名とを設定する検索ワードに含めずに、再生中の楽曲のアーティスト名を設定する検索ワードに含め、設定されている再生モードがアルバムモードのときは、再生中の楽曲のタイトル名を設定する検索ワードに含めずに、再生中の楽曲のアーティスト名とアルバム名とを設定する検索ワードに含め、設定されている再生モードがタイトルモードのときは、再生中の楽曲のアーティスト名とアルバム名とタイトル名とを設定する検索ワードに含めることを特徴とする楽曲再生装置。
【請求項６】
請求項１、２、３、４または５記載の楽曲再生装置であって、
前記楽曲関連情報表示部は、前記楽曲関連情報取得部が取得した各情報を、当該情報に含まれる前記検索ワードと一致するワードを当該情報中から消去した上で表示することを特徴とする楽曲再生装置。
【請求項７】
請求項１、２、３、４、５または６記載の楽曲再生装置であって、
前記サーバは、記事の投稿を受け付けて蓄積すると共に、投稿を受け付けた記事の検索機能を提供するサーバであって、
前記楽曲関連情報取得部は、当該サーバーにアクセスし、前記設定された検索ワードにマッチする記事を検索して取得することを特徴とする楽曲再生装置。
【請求項８】
請求項７記載の楽曲再生装置であって、
前記検索ワード設定部は、前記記事中において、現在聴いている楽曲の情報を含む事を表すタグ文字列を、設定する検索ワードに含めることを特徴とする楽曲再生装置。
【請求項９】
複数の階層の各々の階層における属性値が定義されている楽曲を再生する楽曲再生装置であって、
ユーザの選定した階層の属性値の一覧を標示し、一覧中から属性値の選択を受け付ける選択受付部と、
検索ワードに設定する検索ワード設定部と、
情報検索機能を提供するサーバーにアクセスし、前記設定された検索ワードで情報を検索して取得する楽曲関連情報取得部と、
前記楽曲関連情報取得部が取得した各情報を表示する前記楽曲関連情報表示部とを有し、
前記最下位の階層を除く各階層の属性値は、より下位の階層のいずれかの属性値の上位の属性値として関係づけられており、
前記検索ワード設定部は、前記選択受付部が選択を受け付けた属性値の下位の属性値は前記設定する前記検索ワードに含めずに、前記選択受付部が選択を受け付けた属性値と、当該選択を受け付けた属性値の上位の各属性値とを前記設定する検索ワードに含めることを特徴とする楽曲再生装置。
【請求項１０】
請求項８記載の楽曲再生装置であって、
前記複数の階層は、属性値がアーティスト名であるアーティスト階層と属性値がアルバム名であるアルバム階層と属性値がタイトル名であるタイトル階層とのうちの少なくとも２つの階層を含むことを特徴とする楽曲再生装置。
【請求項１１】
コンピュータによって読み取られ実行させるコンピュータプログラムであって、
前記コンピュータに、
楽曲のグループ化の異なる単位の各々にそれぞれ対応する複数の再生モードを有し、当該複数の再生モードのうちの設定されている再生モードに対応する単位でグループ化された楽曲のグループの楽曲の再生を行う楽曲再生ステップと、
再生中の楽曲に設定されている複数の種類の属性値のうちから、設定されている再生モードに応じて各再生モード毎に異なるように定まる１または複数の種類の属性値を抽出して検索ワードに設定する検索ワード設定ステップと、
情報検索機能を提供するサーバーにアクセスし、前記設定された検索ワードで情報を検索して取得する楽曲関連情報取得ステップと、
前記楽曲関連情報取得ステップで取得した各情報を表示する前記楽曲関連情報表示ステップとを実行させることを特徴とするコンピュータプログラム。
【請求項１２】
請求項１１記載のコンピュータプログラムであって、
前記楽曲の属性値の複数の種類は、アルバム名が属性値である種類と属性値がタイトル名である種類とを含み、
前記複数の再生モードは、対応する楽曲のグループ化の単位がアルバムであるアルバムモードと、対応する楽曲のグループ化の単位がタイトルであるタイトルモードとを含み、
前記検索ワード設定ステップにおいて、設定されている再生モードがアルバムモードのときは、再生中の楽曲のタイトル名を設定する検索ワードに含めずに、再生中の楽曲のアルバム名を設定する検索ワードに含め、設定されている再生モードがタイトルモードのときは、再生中の楽曲のアルバム名とタイトル名とを設定する検索ワードに含めることを特徴とするコンピュータプログラム。
【請求項１３】
請求項１１記載のコンピュータプログラムであって、
前記楽曲の属性値の複数の種類は、アーティスト名が属性値である種類と属性値がタイトル名である種類とを含み、
前記複数の再生モードは、対応する楽曲のグループ化の単位がアーティストであるアーティストモードと、対応する楽曲のグループ化の単位がタイトルであるタイトルモードとを含み、
前記検索ワード設定ステップにおいて、設定されている再生モードがアーティストモードのときは、再生中の楽曲のタイトル名を設定する検索ワードに含めずに、再生中の楽曲のアーティスト名を設定する検索ワードに含め、設定されている再生モードがタイトルモードのときは、再生中の楽曲のアーティスト名とタイトル名とを設定する検索ワードに含めることを特徴とするコンピュータプログラム。
【請求項１４】
請求項１１記載のコンピュータプログラムであって、
前記楽曲の属性値の複数の種類は、アーティスト名が属性値である種類と属性値がアルバム名である種類とを含み、
前記複数の再生モードは、対応する楽曲のグループ化の単位がアーティストであるアーティストモードと、対応する楽曲のグループ化の単位がアルバムであるアルバムモードとを含み、
前記検索ワード設定ステップにおいて、設定されている再生モードがアーティストモードのときは、再生中の楽曲のアルバム名を設定する検索ワードに含めずに、再生中の楽曲のアーティスト名を設定する検索ワードに含め、設定されている再生モードがアルバムモードのときは、再生中の楽曲のアーティスト名とアルバム名とを設定する検索ワードに含めることを特徴とするコンピュータプログラム。
【請求項１５】
請求項１１記載のコンピュータプログラムであって、
前記楽曲の属性値の複数の種類は、アーティスト名が属性値である種類と属性値がアルバム名である種類とタイトル名が属性値である種類とを含み、
前記複数の再生モードは、対応する楽曲のグループ化の単位がアーティストであるアーティストモードと、対応する楽曲のグループ化の単位がアルバムであるアルバムモードと対応する楽曲のグループ化の単位がタイトルであるタイトルモードとを含み、
前記検索ワード設定ステップにおいて、設定されている再生モードがアーティストモードのときは、再生中の楽曲のアルバム名とタイトル名とを設定する検索ワードに含めずに、再生中の楽曲のアーティスト名を設定する検索ワードに含め、設定されている再生モードがアルバムモードのときは、再生中の楽曲のタイトル名を設定する検索ワードに含めずに、再生中の楽曲のアーティスト名とアルバム名とを設定する検索ワードに含め、設定されている再生モードがタイトルモードのときは、再生中の楽曲のアーティスト名とアルバム名とタイトル名とを設定する検索ワードに含めることを特徴とするコンピュータプログラム。
【請求項１６】
請求項１１、１２、１３、１４または１５記載のコンピュータプログラムであって、
請求項１、２、３、４または５記載の楽曲再生装置であって、
前記楽曲関連情報表示ステップにおいて、前記楽曲関連情報取得ステップで取得した各情報を、当該情報に含まれる前記検索ワードと一致するワードを当該情報中から消去した上で表示することを特徴とするコンピュータプログラム。
【請求項１７】
請求項１１、１２、１３、１４、１５または１６記載のコンピュータプログラムであって、
前記サーバは、記事の投稿を受け付けて蓄積すると共に、投稿を受け付けた記事の検索機能を提供するサーバであって、
前記楽曲関連情報取得ステップにおいて、当該サーバーにアクセスし、前記設定された検索ワードにマッチする記事を検索して取得することを特徴とするコンピュータプログラム。
【請求項１８】
請求項１７記載のコンピュータプログラムであって、
前記検索ワード設定ステップにおいて、前記記事中において、現在聴いている楽曲の情報を含む事を表すタグ文字列を、設定する検索ワードに含めることを特徴とするコンピュータプログラム。
【発明の詳細な説明】
【技術分野】
【０００１】
本発明は、楽曲を再生する楽曲再生装置において、再生する楽曲に関連する情報をユーザに提示する技術に関するものである。
【背景技術】
【０００２】
楽曲を再生出力する楽曲再生装置において、再生する楽曲に関連する情報をユーザに提示する技術としては、各楽曲の歌詞やジャケット写真などの楽曲関連情報を蓄積したサーバを設け、楽曲再生装置において再生する楽曲のアーティスト名やアルバム名やタイトル名を検索キーとしてサーバを検索して検索した楽曲関連情報を取得し、楽曲の再生と並行して、取得した楽曲関連情報を提示する技術が知られている（たとえば、特許文献１）。
【先行技術文献】
【特許文献】
【０００３】
【特許文献１】特開2004-117618号公報
【発明の概要】
【発明が解決しようとする課題】
【０００４】
上述した楽曲再生装置において、再生中の楽曲の楽曲関連情報を提示する技術によれば、再生中の楽曲にのみ関する情報が提示され、再生中の楽曲のアルバムやアーティストといった、再生中の楽曲に関する、より上位のレベルの情報を提示することはできないため、ユーザが再生中の楽曲について知徳できる情報の範囲が常に限定的なものになる。一方で、常に再生中の楽曲に関するアルバムやアーティストといった全てのレベルの情報を常にユーザに提示することとすれば、その時点において、ユーザにとって不要な情報までもが提示されることとなってしまう。
【０００５】
また、当該技術によれば、同じ楽曲を再生するときには常に同じ楽曲関連情報が提示されることとなり面白みに欠ける。
一方で、ユーザが、再生する楽曲を聴いた他人の自由な意見や感想を知ることは、当該ユーザが、当該楽曲について新たな情報を得たり当該楽曲について新たな視点を持ったりすることができるようになるため有意義である。また、ユーザが、再生する楽曲を聴いた他人の自由な意見や感想を知ることができれば、再生する楽曲を介して体験を他人と共有することができる。
【０００６】
そこで、本発明は、楽曲再生装置において、再生する楽曲に関する種々のレベルの情報の提示を、ユーザにとって有意なレベルの情報のみが提示される形態で行うことを課題とする。
また、併せて、本発明は、楽曲を再生する楽曲再生装置において、再生する楽曲を聴いた他人の意見や感想を提示することを課題とする。
【課題を解決するための手段】
【０００７】
前記課題達成のために、本発明は、複数の種類の属性値が定義されている楽曲を再生する楽曲再生装置に、楽曲のグループ化の異なる単位の各々にそれぞれ対応する複数の再生モードを有し、当該複数の再生モードのうちの設定されている再生モードに対応する単位でグループ化された楽曲のグループの楽曲の再生を行う楽曲再生部と、再生中の楽曲の前記複数種類の属性値のうちから、設定されている再生モードに応じて各再生モード毎に異なるように定まる１または複数の種類の属性値を抽出して検索ワードに設定する検索ワード設定部と、情報検索機能を提供するサーバーにアクセスし、前記設定された検索ワードで情報を検索して取得する楽曲関連情報取得部と、前記楽曲関連情報取得部が取得した各情報を表示する前記楽曲関連情報表示部とを設けたものである。
【０００８】
ここで、このような楽曲再生装置は、前記楽曲の属性値の複数の種類を、アルバム名が属性値である種類と属性値がタイトル名である種類とを含むものとし、前記複数の再生モードを、対応する楽曲のグループ化の単位がアルバムであるアルバムモードと、対応する楽曲のグループ化の単位がタイトルであるタイトルモードとを含むものとし、前記検索ワード設定部において、設定されている再生モードがアルバムモードのときは、再生中の楽曲のタイトル名を設定する検索ワードに含めずに、再生中の楽曲のアルバム名を設定する検索ワードを含め、設定されている再生モードがタイトルモードのときは、再生中の楽曲のアルバム名とタイトル名とを設定する検索ワードに含めるように構成してもよい。
【０００９】
または、このような楽曲再生装置は、前記楽曲の属性値の複数の種類を、アーティスト名が属性値である種類と属性値がタイトル名である種類とを含むものとし、前記複数の再生モードを、対応する楽曲のグループ化の単位がアーティストであるアーティストモードと、対応する楽曲のグループ化の単位がタイトルであるタイトルモードとを含むものとし、前記検索ワード設定部において、設定されている再生モードがアーティストモードのときは、再生中の楽曲のタイトル名を設定する検索ワードに含めずに、再生中の楽曲のアーティスト名を設定する検索ワードに含め、設定されている再生モードがタイトルモードのときは、再生中の楽曲のアーティスト名とタイトル名とを設定する検索ワードに含めるように構成してもよい。
【００１０】
または、このような楽曲再生装置は、前記楽曲の属性値の複数の種類を、アーティスト名が属性値である種類と属性値がアルバム名である種類とを含むものとし、前記複数の再生モードを、対応する楽曲のグループ化の単位がアーティストであるアーティストモードと、対応する楽曲のグループ化の単位がアルバムであるアルバムモードとを含むものとし、前記検索ワード設定部において、設定されている再生モードがアーティストモードのときは、再生中の楽曲のアルバム名を設定する検索ワードに含めずに、再生中の楽曲のアーティスト名を設定する検索ワードに含め、設定されている再生モードがアルバムモードのときは、再生中の楽曲のアーティスト名とアルバム名とを設定する検索ワードに含めるように構成してもよい。
【００１１】
または、このような楽曲再生装置は、前記楽曲の属性値の複数の種類を、アーティスト名が属性値である種類と属性値がアルバム名である種類とタイトル名が属性値である種類とを含むものとし、前記複数の再生モードを、対応する楽曲のグループ化の単位がアーティストであるアーティストモードと、対応する楽曲のグループ化の単位がアルバムであるアルバムモードと対応する楽曲のグループ化の単位がタイトルであるタイトルモードとを含むものとし、前記検索ワード設定部において、設定されている再生モードがアーティストモードのときは、再生中の楽曲のアルバム名とタイトル名とを設定する検索ワードに含めずに、再生中の楽曲のアーティスト名を設定する検索ワードに含め、設定されている再生モードがアルバムモードのときは、再生中の楽曲のタイトル名を設定する検索ワードに含めずに、再生中の楽曲のアーティスト名とアルバム名とを設定する検索ワードに含め、設定されている再生モードがタイトルモードのときは、再生中の楽曲のアーティスト名とアルバム名とタイトル名とを設定する検索ワードに含めるように構成してもよい。
【００１２】
以上のような楽曲再生装置によれば、アーティストやアルバムやタイトルといったある単位の楽曲のグループが再生されているときに、その集合を表す検索ワードで情報を検索し、検索した情報を表示する。ここで、ユーザは、アーティストやアルバムやタイトルといったある単位の楽曲のグループを再生しているときには、その楽曲のグループ全体に対して興味をもっており、その集合全体についての情報はユーザにとって有意であると考えられる。よって、本楽曲再生装置によれば、再生中の楽曲に関する種々のレベルの情報の提示を、ユーザにとって有意なレベルの情報のみが提示される形態で行うことができる。
ここで、以上の各楽曲再生装置は、前記楽曲関連情報表示部において、前記楽曲関連情報取得ステップで取得した各情報を、当該情報に含まれる前記検索ワードと一致するワードを当該情報中から消去した上で表示するように構成してもよい。
【００１３】
また、以上の各楽曲再生装置は、前記サーバを、記事の投稿を受け付けて蓄積すると共に、投稿を受け付けた記事の検索機能を提供するサーバとし、前記楽曲関連情報取得部において、当該サーバーにアクセスし、前記設定された検索ワードにマッチする記事を検索して取得するように構成してもよい。
【００１４】
また、この場合、このような楽曲再生装置は、前記検索ワード設定部は、前記記事中において、現在聴いている楽曲の情報を含む事を表すタグ文字列を、設定する検索ワードに含めるようにすることが好ましい。
このようにすることにより、再生中の楽曲に関連する情報として、再生中の楽曲のタイトルやアルバムやアーティストを聴いた他人の意見や感想を提示することができるようになる。
また、前記課題達成のために、本発明は、複数の階層の各々の階層における属性値が定義されている楽曲を再生する楽曲再生装置に、ユーザの選定した階層の属性値の一覧を標示し、一覧中から属性値の選択を受け付ける選択受付部と、検索ワードに設定する検索ワード設定部と、情報検索機能を提供するサーバーにアクセスし、前記設定された検索ワードで情報を検索して取得する楽曲関連情報取得部と、前記楽曲関連情報取得部が取得した各情報を表示する前記楽曲関連情報表示部とを設けたものである。
【００１５】
ただし、前記最下位の階層を除く各階層の属性値は、より下位の階層のいずれかの属性値の上位の属性値として関係づけられており、前記検索ワード設定部は、前記選択受付部が選択を受け付けた属性値の下位の属性値は前記設定する前記検索ワードに含めずに、前記選択受付部が選択を受け付けた属性値と、当該選択を受け付けた属性値の上位の各属性値とを前記設定する検索ワードに含めるものである。
【００１６】
ここで、このような楽曲再生装置は、前記複数の階層を、属性値がアーティスト名であるアーティスト階層と属性値がアルバム名であるアルバム階層と属性値がタイトル名であるタイトル階層とのうちの少なくとも２つの階層を含むものとして良い。
これらのような楽曲再生装置によれば、ユーザが選択した、アーティストやアルバムやタイトルといった任意の階層における楽曲のグループについて、その集合を表す検索ワードで情報を検索し、検索した情報を表示することができる。よって、本楽曲再生装置によれば、楽曲に関する種々のレベルの情報の提示を、ユーザにとって有意なレベルの情報のみが提示される形態で行うことができる。
【発明の効果】
【００１７】
以上のように、本発明によれば、楽曲再生装置において、再生する楽曲に関する種々のレベルの情報の提示を、ユーザにとって有意なレベルの情報のみが提示される形態で行うことができる。
また、本発明によれば、楽曲を再生する楽曲再生装置において、再生する楽曲を聴いた他人の意見や感想を提示することができるようになる。
【図面の簡単な説明】
【００１８】
【図１】本発明の実施形態に係る車載装置の構成を示すブロック図である。
【図２】本発明の実施形態に係るＳＮＳクライアントのウインドウを示す図である。
【図３】本発明の実施形態に係る楽曲データベースの内容を示す図である。
【図４】本発明の実施形態に係るコントロールウインドウを示す図である。
【図５】本発明の実施形態に係る選択ウインドウを示す図である。
【図６】本発明の実施形態に係る選択ウインドウを示す図である。
【図７】本発明の実施形態に係る楽曲関連投稿閲覧処理を示すフローチャートである。
【図８】本発明の実施形態に係る楽曲関連投稿閲覧処理と楽曲関連投稿処理の表示例を示す図である。
【図９】本発明の実施形態の修正例を示す図である。
【発明を実施するための形態】
【００１９】
以下、本発明の実施形態について、車載装置への適用を例にとり説明する。
図１に、本発明の実施形態について自動車に搭載される車載装置への適用を例にとり説明する。
図１に、本第１実施形態に係る車載装置１の構成を示す。
図示するように車載装置１は、入力装置１０１、表示装置１０２、マイクやスピーカなどを備えた音声入出力装置１０３、記憶装置１０４、その他の周辺装置１０５、車載装置１のオペレーティングシステム１０６、オペレーティングシステム１０６によって管理されオペレーティングシステム１０６上で稼働するアプリケーション、外部インタフェース１０７とを備えている。
【００２０】
また、車載装置１は、上述したアプリケーションとして、ＳＮＳ（social networking service）クライアント１１０と、ミュージックプレイヤ１１１と、その他のアプリケーション１１２とを備えている。
ただし、車載装置１は、ハードウエア的には、ＣＰＵやメモリなどを備えたコンピュータを用いて構成されるものであり、オペレーティングシステム１０６や、各アプリケーション１１０-１１２などは、当該コンピュータが、所定のコンピュータプログラムを実行することにより実現されるものである。
【００２１】
ここで、車載装置１の外部インタフェース１０７は、IEEE 802.11規格に従った無線通信インタフェースであるＷｉ-ＦｉインタフェースやBluetooth(登録商標)規格に従った無線通信インタフェースなどを用いることができる。また、外部インタフェース１０７には、移動通信機能を備えたモバイル装置２を無線接続することができる。なお、モバイル装置２は、スマートフォンやタブレット装置などの、ユーザによって携帯される移動通信機能を備えた装置である。
【００２２】
さて、このような車載装置１の構成において、ＳＮＳクライアント１１０は、無線接続したモバイル装置２の移動通信機能を利用して、インターネット３上のＳＮＳ（social networking service）サーバ４にアクセスすることができる。
ＳＮＳサーバ４は、図示するように、投稿された投稿記事を蓄積した投稿記事データベース４１、ＳＮＳクライアント１１０からの投稿記事の投稿を受け付けて投稿記事データベース４１に格納する投稿受付部４２、投稿記事サーバ４３などを備えている。
投稿記事サーバ４３は、ＳＮＳクライアント１１０からホーム閲覧を要求されると、そのＳＮＳクライアント１１０のアカウント及び当該アカウントが予め閲覧を登録した他アカウントの投稿記事を投稿記事データベース４１から読み出し、読み出した各投稿記事を投稿時刻順に並べたタイムラインをＳＮＳクライアント１１０に送信する。また、投稿記事サーバ４３は、ＳＮＳクライアント１１０から検索ワードを伴うサーチを要求されると、検索ワードを投稿記事中に含む投稿記事を投稿記事データベース４１から検索し、検索した各投稿記事を投稿時刻順に並べたタイムラインをサーチ結果としてＳＮＳクライアント１１０に送信する。
【００２３】
そして、ＳＮＳクライアント１１０は、起動されると、図２ａに示すホームウインドウ２００を表示すると共に、ＳＮＳサーバ４の投稿記事サーバ４３にホーム閲覧を要求し、投稿記事サーバ４３から、ＳＮＳクライアント１１０のアカウント及び当該アカウントが予め閲覧を登録した他アカウントの投稿記事のタイムライン２０１を取得し、ホームウインドウ２００中に表示する。
【００２４】
また、ＳＮＳクライアント１１０は、ホームウインドウ２００に設けた投稿ボタン２０２が操作されたならば、図２ｂに示すような投稿記事編集ウインドウ２１０を表示し、投稿する記事の編集を受け付け、投稿記事編集ウインドウ２１０に設けた送信ボタン２１１が操作されたならば、ＳＮＳサーバ４の投稿受付部４２の編集された記事を投稿記事として投稿する。
【００２５】
さて、ここで、ＳＮＳサーバ４の各アカウントは、投稿記事中に「#NowPlaying」のワードをタグとして含めると共に、「#NowPlaying」のタグに続けて、現在聴いている楽曲のアーティスト名とアルバム名とタイトル名とを含めることにより、当該投稿記事が、投稿記事にアーティスト名とアルバム名とタイトル名とを含めた楽曲を聴きながら投稿した記事であることを、投稿記事中で表明することができる。
【００２６】
また、ＳＮＳクライアント１１０は、ホームウインドウ２００に設けたサーチボタン２０３が操作されたならば、図２ｃに示すようなサーチウインドウ２２０を表示し、検索ワードの入力を受け付ける。ここで、検索ワードとしては、複数の検索ワードを指定することができる。また、検索ワードとしては、上述した「#NowPlaying」などのタグや、楽曲のアーティスト名やアルバム名やタイトル名を用いることができる。
【００２７】
そして、ＳＮＳクライアント１１０は、サーチウインドウ２２０に設けた検索ボタン２２１が操作されたならば、入力された検索ワードを伴うサーチをＳＮＳサーバ４の投稿記事サーバ４３に要求する。そして、図２ｄに示すように、サーチ結果ウインドウ２３０を表示し、投稿記事サーバ４３からサーチ結果として取得した検索ワードを投稿記事中に含む投稿記事のタイムライン２３１をサーチ結果ウインドウ２３０中に表示する。
【００２８】
さて、図１に戻り、車載装置１のミュージックプレイヤ１１１は、記憶装置１０４や無線接続したモバイル装置２に記録されているオーディオファイルの音声入出力装置１０３への再生出力と、その制御を行うアプリケーション１１２である。
ここで、記憶装置１０４とモバイル装置２には、それぞれ、オーディオファイルと、楽曲管理データべースとが格納されている。
オーディオファイルは、楽曲のオーディオデータを格納したファイルであり、オーディオファイル中にはファイル名等が記述されたファイル情報とオーディオデータと共に、オーディオファイルの楽曲のジャンルやアーティストやアルバムやタイトルなどの名称が属性値として格納されている。
【００２９】
一方、楽曲管理データべースには、図３に示すように、オーディオファイル管理テーブル、ジャンル管理テーブル、アーティスト管理テーブル、アルバム管理テーブル、タイトル管理テーブルが登録されている。
そして、オーディオファイル管理テーブルは、記憶装置１０４上に記録された全てのオーディオファイルを管理するテーブルであり、図３ａに示すように、各オーディオファイル毎のエントリを有し、各エントリにはオーディオファイルに与えた識別子である楽曲ID、オーディオファイルの記憶装置１０４上のロケーションを示すオーディオファイルパス、楽曲に対応するオーディオファイルに格納されたオーディオデータのビットレート、オーディオファイルの楽曲のジャンル名やアーティストやアルバムやタイトルなどの名称を表す属性値や再生時間などの楽曲情報が記録されている。
【００３０】
次に、ジャンル管理テーブルには、図３ｂに示すように、POP、ROCK、JAZZといった楽曲の各ジャンルがアルファベット/五十音順に登録される。また、各ジャンルに対して、その下位に、当該ジャンルの楽曲のオーディオファイルが記憶装置１０４に記録されている各アーティストの名称がアルファベット/五十音順に登録される。また、各アーティストに対して、その下位に、当該ジャンルの当該アーティストの楽曲であって、楽曲のオーディオファイルが記憶装置１０４に記録されている楽曲が含まれる各アルバムの名称がアルファベット/五十音順に登録される。また、各アルバムに対して、その下位に、当該ジャンルの当該アーティストの当該アルバムの楽曲であって、楽曲のオーディオファイルが記憶装置１０４に記録されている楽曲のタイトルの名称が、楽曲のアルバム内順序に従った順序で登録され、各楽曲の各タイトルに対して、当該タイトルの楽曲のオーディオファイルの楽曲ＩＤが登録される。
【００３１】
また、アーティスト管理テーブルには、図３ｃに示すように、楽曲のオーディオファイルが記憶装置１０４に記録されている各アーティストの名称がアルファベット/五十音順に登録される。また、各アーティストに対して、その下位に、当該アーティストの楽曲であって、楽曲のオーディオファイルが記憶装置１０４に記録されている楽曲が含まれる各アルバムの名称がアルファベット/五十音順に登録される。また、各アルバムに対して、その下位に、当該アーティストの当該アルバムの楽曲であって、楽曲のオーディオファイルが記憶装置１０４に記録されている楽曲のタイトルの名称が楽曲のアルバム内順序に従った順序で登録され、各楽曲の各タイトルに対して、当該タイトルの楽曲のオーディオファイルの楽曲ＩＤが登録される。
【００３２】
また、アルバム管理テーブルには、図３ｄに示すように、楽曲のオーディオファイルが記憶装置１０４に記録されている各アルバムの名称がアルファベット/五十音順に登録される。また、各アルバムに対して、その下位に、当該アルバムの楽曲であって、楽曲のオーディオファイルが記憶装置１０４に記録されている楽曲のタイトルの名称が楽曲のアルバム内順序に従った順序で登録され、各楽曲の各タイトルに対して、当該タイトルの楽曲のオーディオファイルの楽曲ＩＤが登録される。
【００３３】
次に、タイトル管理テーブルには、図３ｅに示すように、オーディオファイルが記憶装置１０４に記録されている各楽曲のタイトルの名称が、タイトルのアルファベット/五十音順に登録され、各楽曲の各タイトルに対して、当該タイトルの楽曲のオーディオファイルの楽曲ＩＤが登録される。
【００３４】
さて、ミュージックプレイヤ１１１は、起動されると、図４ａに示すようなコントロールウインドウ４００を表示装置１０２に表示し、コントロールウインドウ４００上に設けた情報領域４０１に、再生中のオーディオファイルのアルバム、アーティスト、タイトル、ジャンル、再生経過時間などを各々情報項目として表示する。またコントロールウインドウ４００に表示した、再生/一時停止ボタン４０２の操作に応じて、オーディオファイルの再生動作を開始/一時停止したり、順方向スキップボタン４０３や逆方向スキップボタン４０４の操作に応じて、オーディオファイルの再生スキップを行う。
【００３５】
また、コントロールウインドウ４００には、検索ボタン４０５、ＳＮＳ閲覧ボタン４０６、ＳＮＳ投稿ボタン４０７も設けられている。
そして、ミュージックプレイヤ１１１は、検索ボタン４０５が操作されると、図４ｂに示すようにジャンルボタン４１１、アーティストボタン４１２、アルバムボタン４１３、タイトルボタン４１４を表示する。
そして、ジャンルボタン４１１、アーティストボタン４１２、アルバムボタン４１３、タイトルボタン４１４のいずれかが操作されたならば、記憶装置１０４とモバイル装置２の、現在の音源として設定されている方のオーディオファイルと楽曲データベースを対象として以下の処理を行う。
【００３６】
すなわち、ミュージックプレイヤ１１１は、ジャンルボタン４１１、アーティストボタン４１２、アルバムボタン４１３、タイトルボタン４１４のいずれかが操作されたならば、図５ａに示すように、選択ウインドウ５００を表示する。選択ウインドウ５００は、属性値リスト領域５０１と、選択ボタン５０２と、再生ボタン５０３を備えている。そして、属性値リスト領域５０１には、ジャンル、アーティスト、アルバム、タイトルなどの楽曲の各属性の属性値のリストである属性値リストが表示される。
【００３７】
ここで、属性値リスト領域５０１に表示する属性値リストは、スクロールバー５０１によってスクロールすることができる。また、属性値リスト領域５０１には、表示されている属性値リスト中の一つの属性値の位置に、当該属性値を囲むフォーカスフレーム５０２が表示され、このフォーカスフレーム５０２は、ユーザの所定の移動操作によって、表示されている属性値リスト上で移動することができる。
【００３８】
図５ａは、ジャンルボタン４１１が操作された場合に最初に表示される選択ウインドウ５００を表しており、属性値リスト領域５０１には、ジャンル管理テーブルの第１階層に登録されているジャンルの名称の一覧が属性値リストとして表示される。そして、この図５ａの選択ウインドウ５００で、再生ボタン５０３が操作されると、再生モードとしてジャンルモードが設定され、フォーカスフレーム５０２が位置するジャンルが再生ジャンルとして設定され、選択ウインドウ５００の表示は消去される。
【００３９】
一方、この状態で、選択ボタン５０２が操作された場合には、フォーカスフレーム５０２が位置するジャンルが、ジャンルの選択属性値として設定される。また、このようにして、ジャンルの選択属性値が設定されたならば、図５ｂに示すように、属性値リスト領域５０１に表示する属性値のリストを、ジャンル管理テーブルの第２階層の、ジャンルの選択属性値の下位に登録されているアーティストの名称の一覧に切り替える。そして、この図５ｂの選択ウインドウ５００で、再生ボタン５０３が操作されると、再生モードとしてアーティストモードが設定され、フォーカスフレーム５０２が位置するアーティストが再生アーティストとして設定され、選択ウインドウ５００の表示は消去される。
【００４０】
一方、この状態で、選択ボタン５０２が操作された場合には、フォーカスフレーム５０２が位置するアーティストが、アーティストの選択属性値として設定される。また、このようにして、アーティストの選択属性値が設定されたならば、図５ｃに示すように、属性値リスト領域５０１に表示する属性値のリストを、ジャンル管理テーブルの第３階層の、ジャンルの選択属性値の下位のアーティストの選択属性値の下位に登録されているアルバムの名称の一覧に切り替える。そして、この図５ｃの選択ウインドウ５００で、再生ボタン５０３が操作されると、再生モードとしてアルバムモードが設定され、フォーカスフレーム５０２が位置するアルバム再生アルバムとして設定され、選択ウインドウ５００の表示は消去される。
【００４１】
一方、この状態で、選択ボタン５０２が操作された場合には、フォーカスフレーム５０２が位置するアルバムが、アルバムの選択属性値として設定される。また、このようにして、アルバムの選択属性値が設定されたならば、図５ｄに示すように、属性値リスト領域５０１に表示する属性値のリストを、ジャンル管理テーブルの第４階層の、ジャンルの選択属性値の下位のアーティストの選択属性値の下位のアルバムの選択属性値の下位登録されているタイトルの名称の一覧に切り替える。そして、この図５ｄの選択ウインドウ５００で、再生ボタン５０３が操作されると、再生モードとしてタイトルモードが設定され、フォーカスフレーム５０２が位置するタイトルが再生タイトルとして設定され、選択ウインドウ５００の表示は消去される。
【００４２】
なお、図４ｂにおいて操作されたボタンがアーティストボタン４１２やアルバムボタン４１３やタイトルボタン４１４である場合も、ジャンルボタン４１１が操作された場合と同様に選択ウインドウ５００を用いて、階層的に、選択属性値と指定属性値の設定を受け付ける。
【００４３】
すなわち、アーティストボタン４１２が操作された場合には、図６ａに示すように、アーティスト-アルバム-タイトルの順に、アーティスト管理テーブルの階層に従って、階層的に、選択ボタン５０２による、アーティスト、もしくは、アーティストとアルバム、もしくは、アーティストとアルバムとタイトルの選択属性値としての設定と、再生ボタン５０３による、アーティストモード及び再生アーティストの設定、もしくは、アルバムモードと再生アルバムの設定、もしくは、タイトルモードと再生タイトルの設定を受け付ける。また、アルバムボタン４１３が操作された場合には、図６ｂに示すように、アルバム-タイトルの順に、アルバム管理テーブルの階層に従って、階層的に、選択ボタン５０２による、アルバム、もしくは、アルバムとタイトルの選択属性値としての設定と、再生ボタン５０３による、アルバムモードと再生アルバムの設定、もしくは、タイトルモードと再生タイトルの設定を受け付ける。また、タイトルボタン４１４が操作された場合には、図６ｃに示すように、再生ボタン５０３による、タイトルモードと再生タイトルの設定を受け付ける。
【００４４】
さて、ミュージックプレイヤ１１１は、このようにして再生モードが設定されたならば、再生モードに応じてオーディオファイルの再生を以下のように制御する。
すなわち、ミュージックプレイヤ１１１は設定された再生モードがジャンルモードであれば、ジャンル管理テーブルの、再生ジャンルの下位に登録されている各タイトルに対して登録されている楽曲ＩＤのオーディオファイルを再生対象オーディオファイルとして順次再生する。なお、各楽曲ＩＤのオーディオファイルは、楽曲IDで、オーディオファイル管理テーブルを検索して求めることができる。なお、再生対象オーディオファイルの全ての再生が完了したならば、再生を終了するようにしてもよいし、再生対象オーディオファイルを先頭から再度再生するようにしてもよい。
【００４５】
また、ミュージックプレイヤ１１１は、設定された再生モードがアーティストモードであれば、アーティスト管理テーブルの、再生アーティストの下位に登録されている各タイトルに対して登録されている楽曲ＩＤのオーディオファイルを再生対象オーディオファイルとして順次再生する。
なお、再生対象オーディオファイルの全ての再生が完了したならば、再生を終了するようにしてもよいし、再生対象オーディオファイルを先頭から再度再生するようにしてもよい。または、再生対象オーディオファイルの全ての再生が完了するたびに、再生アーティストの次にアーティスト管理テーブルに登録されているアーティストを新たな再生アーティストとして、新たな再生アーティストの下位に登録されている各タイトルに対して登録されている楽曲ＩＤのオーディオファイルを再生対象オーディオファイルとして順次再生するようにしてもよい。
また、ミュージックプレイヤ１１１は、設定された再生モードがアルバムモードであれば、アルバム管理テーブルの、アルバムの下位に登録されている各タイトルに対して登録されている楽曲ＩＤのオーディオファイルを再生対象オーディオファイルとして順次再生する。
なお、この場合も、再生対象オーディオファイルの全ての再生が完了したならば、再生を終了するようにしてもよいし、再生対象オーディオファイルを先頭から再度再生するようにしてもよい。または、再生対象オーディオファイルの全ての再生が完了するたびに、再生アルバムの次にアルバム管理テーブルに登録されているアルバムを新たな再生アルバムとして、新たな再生アルバムの下位に登録されている各タイトルに対して登録されている楽曲ＩＤのオーディオファイルを再生対象オーディオファイルとして順次再生するようにしてもよい。
また、ミュージックプレイヤ１１１は、設定された再生モードがタイトルモードであれば、タイトル管理テーブルに登録されている再生タイトルに対して登録されている楽曲ＩＤのオーディオファイルを再生する。再生対象オーディオファイルとして再生する。
なお、この場合も、再生対象オーディオファイルの再生が完了したならば、再生を終了するようにしてもよいし、再生対象オーディオファイルを再度再生するようにしてもよい。または、再生対象オーディオファイルの再生が完了するたびに、再生タイトルの次にタイトル管理テーブルに登録されているタイトルを新たな再生タイトルとして、新たな再生タイトルの下位に登録されている各タイトルに対して登録されている楽曲ＩＤのオーディオファイルを再生対象オーディオファイルとして再生するようにしてもよい。
【００４６】
さて、図４ａに戻り、コントロールウインドウ４００のＳＮＳ閲覧ボタン４０６が操作された場合、ミュージックプレイヤ１１１は、楽曲関連投稿閲覧処理を行う。
図７に、この楽曲関連投稿閲覧処理の手順を示す。
図示するように、この処理では、再生モードがアーティストモードであるときには（ステップ７０２）、オーディオファイル管理テーブルを参照して、現在再生中のオーディオファイルの楽曲のアーティストの名称を再生中アーティスト名として求め、「#NowPlaying」、「再生中アーティスト名」を検索ワードに設定し（ステップ７０４）、ステップ７１２に進む。
【００４７】
また、再生モードがアルバムモードであるときには（ステップ７０６）、オーディオファイル管理テーブルを参照して、現在再生中のオーディオファイルの楽曲のアーティストの名称を再生中アーティスト名として、現在再生中のオーディオファイルの楽曲のアルバムの名称を再生中アルバム名として求め、「#NowPlaying」、「再生中アルバム名」「再生中アーティスト名」を検索ワードに設定し（ステップ７０８）、ステップ７１２に進む。
【００４８】
そして、再生モードが他のモード、すなわち、タイトルモードかジャンルモードであるときには、オーディオファイル管理テーブルを参照して、現在再生中のオーディオファイルの楽曲のアーティストの名称を再生中アーティスト名として、現在再生中のオーディオファイルの楽曲のアルバムの名称を再生中アルバム名として、現在再生中のオーディオファイルの楽曲のタイトルの名称を再生中タイトル名として求め、「#NowPlaying」、「再生中タイトル名」、「再生中アルバム名」、「再生中アーティスト名」を検索ワードに設定し（ステップ７１０）、ステップ７１２に進む。ただし、再生モードがジャンルモードであるときには、オーディオファイル管理テーブルを参照して、現在再生中のオーディオファイルの楽曲のアーティストの名称を再生中アーティスト名として求め、「#NowPlaying」、「再生中アーティスト名」を検索ワードに設定するようにしてもよい。
【００４９】
そして、ステップ７１２に進んだならば、設定した検索ワードによる投稿サーチをＳＮＳクライアント１１０に要求する（ステップ７１２）。
投稿サーチを要求されたＳＮＳクライアント１１０は、ミュージックプレイヤ１１１によって設定された検索ワードを伴うサーチをＳＮＳサーバ４の投稿記事サーバ４３に要求する。そして、投稿記事サーバ４３から検索ワードを投稿記事中に含む投稿記事のタイムラインをサーチ結果として取得したならば、取得したタイムラインをサーチ結果タイムラインとしてミュージックプレイヤ１１１に転送する。
【００５０】
ミュージックプレイヤ１１１は、このようにしてサーチ結果タイムラインを取得したならば（ステップ７１４）、図８ａに示すように、楽曲関連投稿表示ウインドウ８００を表示する（ステップ７１６）。
そして、楽曲関連投稿表示ウインドウ８００に、サーチ結果タイムラインに含まれる各投稿記事８０１を一定期間（たとえば３秒）ずつの順次表示する処理を開始する（ステップ７１８）。
そして、楽曲関連投稿表示ウインドウ８００に設けた次ボタン８０２の操作の発生と（ステップ７２０）と、楽曲関連投稿表示ウインドウ８００に設けた前ボタン８０３の操作の発生と（ステップ７２２）と、サーチ結果タイムラインに含まれる全ての投稿記事８０１の表示の完了の発生（ステップ７２４）と、楽曲関連投稿表示ウインドウ８００に設けた閉じるボタン８０４の操作による表示終了指示の発生（ステップ７２６）とを監視する。
【００５１】
そして、次ボタン８０２の操作が発生した場合には（ステップ７２０）、楽曲関連投稿表示ウインドウ８００に表示する投稿記事８０１を一つ次の投稿記事８０１に進め（ステップ７３０）、ステップ７２０-７２６の監視に戻る。また、前ボタン８０３の操作が発生した場合には（ステップ７２２）、楽曲関連投稿表示ウインドウ８００に表示する投稿記事８０１を一つ前の投稿記事８０１に戻し（ステップ７３２）、ステップ７２０-７２６の監視に戻る。
【００５２】
一方、全ての投稿記事８０１の表示の完了（ステップ７２４）と、表示終了指示の発生（ステップ７２６）とのいずれかが生じた場合には、楽曲関連投稿表示ウインドウ８００の表示を消去し（ステップ７２８）、楽曲関連投稿閲覧処理を終了する。
以上、楽曲関連投稿閲覧処理について説明した。
なお、以上の楽曲関連投稿閲覧処理では、楽曲関連投稿表示ウインドウ８００に、サーチ結果タイムラインに含まれる各投稿記事８０１をそのまま表示したが、これは、図８ｂに示すように、各投稿記事８０１を、検索ワードとして設定した各ワード（「#NowPlaying」や「再生中タイトル名」や「再生中アルバム名」や「再生中アーティスト名」）を、投稿記事８０１から削除した上で表示するようにしてもよい。このようにすることにより、各投稿記事８０１に重複して含まれる冗長な部分を省いた形態で各投稿記事８０１を表示することができる。
【００５３】
また、以上の楽曲関連投稿閲覧処理では、楽曲関連投稿表示ウインドウ８００に、サーチ結果タイムラインに含まれる各投稿記事８０１を、順次、一定期間（たとえば３秒）ずつ表示するようにしたが、これは、楽曲関連投稿表示ウインドウ８００に複数の投稿記事８０１を同時に表示したり、各投稿記事８０１をテロップ状に表示したりするようにしてもよい。
【００５４】
以上のような楽曲関連投稿閲覧処理によれば、アーティストやアルバムやタイトルといったある単位の楽曲のグループが再生されているときに、その集合を表す検索ワードで情報を検索し、検索した情報を表示する。ここで、ユーザは、アーティストやアルバムやタイトルといったある単位の楽曲のグループを再生しているときには、その楽曲のグループ全体に対して興味をもっており、その集合全体についての情報はユーザにとって有意であると考えられる。よって、楽曲関連投稿閲覧処理によれば、再生中の楽曲に関する種々のレベルの情報の提示を、ユーザにとって有意なレベルの情報のみが提示される形態で行うことができる。
【００５５】
また、提示する情報を、ＳＮＳサーバ４に投稿された「#NowPlaying」を含む投稿記事８０１としているので、ユーザにとって有意な楽曲のグループに関わる楽曲を聴いた他人の意見や感想を提示することができる。
さて、図４ａに戻り、ミュージックプレイヤ１１１は、コントロールウインドウ４００のＳＮＳ投稿ボタン４０７が操作された場合、ミュージックプレイヤ１１１は、楽曲関連投稿処理を行う。
この楽曲関連投稿処理では、ミュージックプレイヤ１１１は、図８ｃに示すように、楽曲関連投稿ウインドウ８１０を表示し、記事入力ボックス８１１への、投稿する記事の入力と編集を受け付け、楽曲関連投稿ウインドウ８１０に設けた投稿ボタン８１２が操作されたならば、ＳＮＳクライアント１１０に、記事入力ボックス８１１に入力された記事を投稿記事８０１としてＳＮＳサーバ４の投稿受付部４２に投稿させる。また、ミュージックプレイヤ１１１は、楽曲関連投稿ウインドウ８１０を表示する際に、記事入力ボックスに、「#NowPlaying」の文字列と再生中のオーディオファイルの楽曲のタイトル名と再生中のオーディオファイルの楽曲のアルバム名と再生中のオーディオファイルの楽曲のアーティスト名とを自動入力するようにする。
【００５６】
以上、本発明の実施形態について説明した。
ところで、以上の実施形態では、楽曲を再生しているときにのみ楽曲関連投稿閲覧処理を行って再生中の楽曲に関する投稿記事８０１を閲覧できるようにしたが、これは、再生する楽曲の選択を行う際に、楽曲に関する投稿記事８０１を閲覧できるようにしてよい。
すなわち、この場合には、図９ａに示すように、選択ウインドウ５００に、ＳＮＳ閲覧ボタン４０６を設け、ＳＮＳ閲覧ボタン４０６が操作されたならば、その時点のフォーカスフレーム５０２が位置している属性値に応じて検索ワードを設定し、楽曲関連投稿閲覧処理のステップ７１２以降の処理を行って、図９ｂに示すように、ユーザがフォーカスフレーム５０２で指定している属性値を有する楽曲に関連する投稿記事８０１を楽曲関連投稿表示ウインドウ８００に表示するようにしてもよい。
【００５７】
ここで、この場合、検索ワードは次のように設定する。
すなわち、フォーカスフレーム５０２が位置している属性値がアーティストの名称である場合には、「#NowPlaying」、「フォーカスフレーム５０２が位置しているアーティストの名称」を検索ワードに設定する。また、フォーカスフレーム５０２が位置している属性値がアルバムの名称である場合には、「#NowPlaying」、「フォーカスフレーム５０２が位置しているアルバムの名称」、「フォーカスフレーム５０２が位置しているアルバムの楽曲のアーティスト名」を検索ワードに設定する。また、フォーカスフレーム５０２が位置している属性値がタイトルの名称である場合には、「#NowPlaying」、「フォーカスフレーム５０２が位置しているタイトルの名称」、「フォーカスフレーム５０２が位置しているタイトルの楽曲のアルバムの名称」「フォーカスフレーム５０２が位置しているタイトルの楽曲のアーティストの名称」を検索ワードに設定する。
【００５８】
このようにすることにより、ユーザが選択した、アーティストやアルバムやタイトルなどの楽曲のグループについて、その集合を表す検索ワードで情報を検索し、検索した情報を表示することができる。よって、ユーザは、アーティストやアルバムやタイトルなどの楽曲のグループを選択して再生する前に、その集合についての情報を閲覧し、再生する集合の選定を行うことができる。したがって、再生する楽曲に関する種々のレベルの情報の提示を、ユーザにとって有意なレベルの情報のみが提示される形態で行うことができるようになる。
【００５９】
なお、以上の実施形態は車載装置１への適用を例にとり説明したが、本実施形態は自動車に搭載される車載装置１に限らず、ＳＮＳサーバ４にアクセス可能な任意の楽曲再生装置において同様に適用することができる。たとえば、ミュージックプレイヤ１１１とＳＮＳクライアント１１０をモバイル装置２に設け、モバイル装置単体において実施することもできる。
【００６０】
また、以上の実施形態では、楽曲関連投稿閲覧処理でＳＮＳサーバ４から検索ワードにマッチする投稿記事８０１を取得して表示するようにしたが、楽曲関連投稿閲覧処理では、ＳＮＳサーバ４以外の、情報検索機能を提供する任意サーバーにアクセスして、検索ワードを検索キーとして情報を検索する共に検索した情報を取得して表示するようにしてもよい。なお、この場合、検索ワードに「#NowPlaying」は含めないようにする。
【符号の説明】
【００６１】
１…車載装置、２…モバイル装置、３…インターネット、４…ＳＮＳサーバ、４１…投稿記事データベース、４２…投稿受付部、４３…投稿記事サーバ、１０１…入力装置、１０２…表示装置、１０３…音声入出力装置、１０４…記憶装置、１０５…周辺装置、１０６…オペレーティングシステム、１０７…外部インタフェース、１１０…ＳＮＳクライアント、１１１…ミュージックプレイヤ、１１２…アプリケーション。
【図１】
2015106208.tif 000003
【図２】
2015106208.tif 000004
【図３】
2015106208.tif 000005
【図４】
2015106208.tif 000006
【図５】
2015106208.tif 000007
【図６】
2015106208.tif 000008
【図７】
2015106208.tif 000009
【図８】
2015106208.tif 000010
【図９】
2015106208.tif 000011